(57)【要約】【課題】部品点数の削減及び製造コストの低減を図りつつ対物レンズ駆動装置の動作の信頼性の向上を図る。【解決手段】対物レンズ駆動装置９に、移動ベース８に取り付けられるベース部１２と該ベース部から対物レンズ２６の光軸方向へ突出して設けられた支持軸部１３とを有する固定体１０と、支持軸部の軸方向へ移動自在かつ支持軸部の軸回り方向へ回動自在に支持された可動体１１と、可動体又は固定体の一方に設けられたマグネット２７と、可動体又は固定体の他方に設けられると共にフォーカシングコイル２０とトラッキングコイル２１とから成るコイル体１９と、可動体をフォーカシング方向における中立位置に保持するフォーカシング用変形部３０と可動体をトラッキング方向における中立位置に保持するトラッキング用変形部３１とを有すると共にフォーカシング用変形部とトラッキング用変形部とが一体に形成された中立用板バネ２８とを設けた。【選択図】　　　　　図３
2004139643.tif 000002
【特許請求の範囲】
【請求項１】
ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを備えた光ピックアップであって、
上記対物レンズ駆動装置は、
上記移動ベースに取り付けられるベース部と該ベース部から対物レンズの光軸方向へ突出して設けられた支持軸部とを有する固定体と、
対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、
上記可動体又は固定体の一方に設けられたマグネットと、
上記可動体又は固定体の他方に設けられると共にフォーカシングコイルとトラッキングコイルとから成るコイル体と、
可動体がフォーカシング方向へ動作されたときに弾性変形され弾性復帰により可動体をフォーカシング方向における中立位置に保持するフォーカシング用変形部と可動体がトラッキング方向へ動作されたときに弾性変形され弾性復帰により可動体をトラッキング方向における中立位置に保持するトラッキング用変形部とを有すると共にフォーカシング用変形部とトラッキング用変形部とが一体に形成された中立用板バネとを備えた
ことを特徴とする光ピックアップ。
【請求項２】
上記中立用板バネに、可動体又は固定体の一方に固定される被固定部と可動体又は固定体の他方に移動自在に支持される被支持部とを設けた
ことを特徴とする請求項１に記載の光ピックアップ。
【請求項３】
ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを有する光ピックアップを備えたディスクドライブ装置であって、
上記対物レンズ駆動装置は、
上記移動ベースに取り付けられるベース部と該ベース部から対物レンズの光軸方向へ突出して設けられた支持軸部とを有する固定体と、
対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、
上記可動体又は固定体の一方に設けられたマグネットと、
上記可動体又は固定体の他方に設けられると共にフォーカシングコイルとトラッキングコイルとから成るコイル体と、
可動体がフォーカシング方向へ動作されたときに弾性変形され弾性復帰により可動体をフォーカシング方向における中立位置に保持するフォーカシング用変形部と可動体がトラッキング方向へ動作されたときに弾性変形され弾性復帰により可動体をトラッキング方向における中立位置に保持するトラッキング用変形部とを有すると共にフォーカシング用変形部とトラッキング用変形部とが一体に形成された中立用板バネとを備えた
ことを特徴とするディスクドライブ装置。
【請求項４】
上記中立用板バネに、可動体又は固定体の一方に固定される被固定部と可動体又は固定体の他方に移動自在に支持される被支持部とを設けた
ことを特徴とする請求項３に記載のディスクドライブ装置。
【発明の詳細な説明】
【０００１】
【発明の属する技術分野】
本発明は光ピックアップ及びディスクドライブ装置に関する。詳しくは、部品点数の削減及び製造コストの低減を図りつつ対物レンズ駆動装置の動作の信頼性の向上を図る技術分野に関する。
【０００２】
【従来の技術】
光ディスク等のディスク状記録媒体に対して情報信号の記録や再生を行うディスクドライブ装置があり、該ディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
光ピックアップはディスク状記録媒体の半径方向へ移動される移動ベースと該移動ベース上に配置された対物レンズ駆動装置とを備えている。
【０００４】
対物レンズ駆動装置には、可動体がワイヤー等のサスペンションを介して固定体に支持されたタイプの他、固定体に設けられた支持軸部の軸方向へ移動自在かつ軸回り方向へ回動自在に可動体が支持された所謂軸摺動型がある。
【０００５】
対物レンズ駆動装置にあっては、ディスク状記録媒体に対する情報信号の記録又は再生が行われるときに、対物レンズを介して照射されるレーザー光のスポットをディスク状記録媒体の記録トラック上に集光させるためにフォーカシングサーボ及びトラッキングサーボが行われる。このとき軸摺動型の対物レンズ駆動装置にあっては、フォーカシングサーボは対物レンズを保持する可動体が支持軸部の軸方向へ移動されることにより行われ、トラッキングサーボは可動体が支持軸部の軸回り方向へ回動されることにより行われる。
【０００６】
従来の軸摺動型の対物レンズ駆動装置の一例として、可動体をフォーカシング方向及びトラッキング方向における中立位置に保持するために、弾性支持部材を用いたものがある（特許文献１参照）。
【０００７】
弾性支持部材は金属板等のゴム取付金具にシリコンゴム等の弾性支持板が接合されて成り、ゴム取付金具が固定体に取り付けられ、弾性支持板が可動体に下方から弾接した状態で取り付けられている。
【０００８】
【特許文献１】
特開昭５９―１０４７３５号公報（第５―６頁、第４図）
【０００９】
【発明が解決しようとする課題】
ところが、上記した従来の対物レンズ駆動装置にあっては、金属板等のゴム取付金具に、例えば、焼き付け加工等によってシリコンゴム等の弾性支持板を接合し２つの異なる部材を接合することにより弾性支持部材を形成しているため、形成に手間がかかりコスト高となってしまうという問題がある。
【００１０】
また、弾性支持部材が２種類の異なる材料によって形成されているため、部品点数が多く、製造コストが一層高くなってしまう。
【００１１】
そこで、本発明光ピックアップ及びディスクドライブ装置は、上記した問題点を克服し、部品点数の削減及び製造コストの低減を図りつつ対物レンズ駆動装置の動作の信頼性の向上を図ることを課題とする。
【００１２】
【課題を解決するための手段】
本発明光ピックアップ及びディスクドライブ装置は、上記した課題を解決するために、上記対物レンズ駆動装置に、移動ベースに取り付けられるベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、可動体又は固定体の一方に設けられたマグネットと、可動体又は固定体の他方に設けられると共にフォーカシングコイルとトラッキングコイルとから成るコイル体と、可動体がフォーカシング方向へ動作されたときに弾性変形され弾性復帰により可動体をフォーカシング方向における中立位置に保持するフォーカシング用変形部と可動体がトラッキング方向へ動作されたときに弾性変形され弾性復帰により可動体をトラッキング方向における中立位置に保持するトラッキング用変形部とを有すると共にフォーカシング用変形部とトラッキング用変形部とが一体に形成された中立用板バネとを設けたものである。
【００１３】
従って、本発明光ピックアップ及びディスクドライブ装置にあっては、対物レンズ駆動装置のフォーカシングサーボ時及びトラッキングサーボ時に、１つの部材で形成された中立用板バネによって可動体がフォーカシング方向及びトラッキング方向における中立位置に保持される。
【００１４】
【発明の実施の形態】
以下に、本発明光ピックアップ及びディスクドライブ装置の実施の形態を添付図面に従って説明する。
【００１５】
ディスクドライブ装置１は、外筐２内に所要の各部材及び各機構が配置されて成る（図１参照）。
【００１６】
外筐２内にはシャーシ３が配置され、該シャーシ３に図示しないスピンドルモーターが取り付けられている。スピンドルモーターのモーター軸にはシャーシ３の上方に位置されたディスクテーブル４が固定されている。
【００１７】
シャーシ３の下面側には、リードスクリュー５とガイド軸６、６とが平行な状態で配置されている。シャーシ３にはピックアップ配置孔３ａが形成され、該ピックアップ配置孔３ａに、光ピックアップ７がディスクテーブル４に装着されるディスク状記録媒体１００の半径方向へ移動可能な状態で配置されている。
【００１８】
光ピックアップ７は移動ベース８と該移動ベース８に設けられた所要の光学要素（光学素子）と移動ベース８上に配置された対物レンズ駆動装置９とを有し、移動ベース８の両端部がそれぞれガイド軸６、６に摺動自在に支持されている。移動ベース８に設けられた光学要素としては、例えば、レーザー光を発光する発光部として機能する発光素子、レーザー光を回折する回折素子、レーザー光を分岐する光分岐素子、レーザー光を平行光束とするコリメーターレンズ、レーザー光を受光する受光部として機能する受光素子等である。
【００１９】
移動ベース８に設けられた図示しないナット部材がリードスクリュー５に螺合されている。移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００２０】
対物レンズ駆動装置９は、固定体１０と該固定体１０に支持された可動体１１とを備えている（図２乃至図６参照）。
【００２１】
固定体１０は、移動ベース８の上面に取り付けられるベース部１２と該ベース部１２から上方へ突出された支持軸部１３とを有している。ベース部１２は、略矩形状を為す本体部１４と、該本体部１４の前端部の左右両側縁からそれぞれ突出された規制突部１５、１５と、本体部１４の後端部の左右方向における中央部から後方へ突出された突出部１６とが、例えば、樹脂材料によって一体に形成されて成る。
【００２２】
本体部１４には上方に開口されたコイル配置穴１４ａが形成され、該コイル配置穴１４ａの底面部１４ｂに支持軸部１３が設けられている。本体部１４の左右両側面には、それぞれ前後に離間して係合凹部１４ｃ、１４ｃ、・・・が形成されている。
【００２３】
規制突部１５、１５は、例えば、本体部１４から前方へ行くに従って互いに近づく方向へ突出されており、先端部１５ａ、１５ａの上面が本体部１４の上面より上方に位置されている。
【００２４】
突出部１６には上方へ突出された支持ピン１７が設けられており、該支持ピン１７には左右方向に延びる支持溝１７ａが形成されている。
【００２５】
固定体１０の本体部１４のコイル配置穴１４ａにはヨーク１８が配置されている。ヨーク１８は、例えば、鉄等の磁性金属材料によって形成され、コイル配置穴１４ａの周面部１４ｄに取り付けられている。
【００２６】
ヨーク１８の内周面にはコイル体１９が取り付けられている。コイル体１９はフォーカシングコイル２０とトラッキングコイル２１、２１とから成る。
【００２７】
フォーカシングコイル２０は円弧部２０ａと斜部２０ｂ、２０ｂと縦部２０ｃ、２０ｃと横部２０ｄとから成る。
【００２８】
円弧部２０ａは、例えば、中心角が１８０°以上の円弧状に形成されている。斜部２０ｂ、２０ｂは、それぞれ円弧部２０ａの後端に連続し後方へ行くに従って互いに離間する方向へ傾斜されている。縦部２０ｃ、２０ｃは、それぞれ斜部２０ｂ、２０ｂの後端に連続し前後方向に延びるようにして形成されている。横部２０ｄは、縦部２０ｃ、２０ｃの後端部間を連結するように左右方向に長く形成されている。
【００２９】
トラッキングコイル２１、２１は、それぞれ角筒状に形成され、フォーカシングコイル２０の横部２０ｄの前面に、例えば、接着により左右に並ぶようにして取り付けられている。トラッキングコイル２１は上下に延びる内側垂直部２１ａ、外側垂直部２１ｂとこれらの両者を結ぶ水平部２１ｃ、２１ｃとから成る。
【００３０】
可動体１１は可動本体２２に所要の各部材が取り付けられて成る。
【００３１】
可動本体２２は略平板状に形成された主部２３と該主部２３の後半部から下方へ突出された大径部２４と該大径部２４から下方へ突出された小径部２５とが、例えば、樹脂材料によって一体に形成されて成る。
【００３２】
主部２３の前半部には透過孔２３ａが形成され、主部２３の上面には透過孔２３ａを覆うようにして対物レンズ２６が取り付けられている。主部２３の後半部には上方へ突出された挿入筒部２３ｂが設けられ、該挿入軸部２３ｂの左右にそれぞれ位置決めピン２３ｃ、２３ｃが設けられている。
【００３３】
可動本体２２には、主部２３の上面と小径部２５の下面との間を貫通する被支持孔２２ａが形成され、該被支持孔２２ａの上側開口縁に挿入筒部２３ｂが設けられている。
【００３４】
可動本体２２にはマグネット２７が取り付けられている。マグネット２７は円環状に形成され、放射方向において単極着磁され、例えば、外周側がＮ極とされ内周側がＳ極とされている。尚、マグネット２７の着磁は、外周側がＳ極とされ内周側がＮ極とされていてもよい。マグネット２７は小径部２５に外嵌状に取り付けられている。
【００３５】
可動体１１は被支持孔２２ａに支持軸部１３が挿入されることにより、支持軸部１３に、その軸方向へ移動自在かつ軸回り方向へ回動自在に支持される。支持軸部１３の軸方向がディスク状記録媒体１００に対してフォーカシングサーボが行われるフォーカシング方向（図３及び図４に示すＦ−Ｆ方向）であり、ディスク状記録媒体１００の略半径方向がディスク状記録媒体１００に対してトラッキングサーボが行われるトラッキング方向（図３及び図５に示すＴ―Ｔ方向）である。従って、可動体１１は、支持軸部１３の軸方向へ移動されることによりフォーカシング方向へ移動され、支持軸部１３の軸回り方向へ回動されることにより略トラッキング方向へ移動される。
【００３６】
尚、可動体１１が支持軸部１３に支持された状態においては、マグネット２７がフォーカシングコイル２０の円弧部２０ａに沿って配置され（図６参照）、マグネット２７の外周面と円弧部２０ａの内周面との間の間隔が、例えば、０．１ｍｍ乃至０．５ｍｍとされている。
【００３７】
可動本体２２には中立用板バネ２８が取り付けられている。中立用板バネ２８は被固定部２９とフォーカシング用変形部３０、３０とトラッキング用変形部３１、３１と被支持部３２とが板状の金属材料によって一体に形成されて成る。
【００３８】
被固定部２９は横長の略矩形状に形成され、中央部に取付孔２９ａが形成され、該取付孔２９ａの左右にそれぞれ位置決め孔２９ｂ、２９ｂが形成されている。
【００３９】
フォーカシング用変形部３０は前後方向に長く形成され、前後方向における中央部が被固定部２９の左右両端部に連続されている。フォーカシング用変形部３０は前後に延びるスリットによって左右に２分され、前後に長く平行を為す内側部３０ａ、外側部３０ｂと、内側部３０ａと外側部３０ｂの各前端部間及び各後端部間をそれぞれ連結する連結部３０ｃ、３０ｃとから成る。
【００４０】
トラッキング用変形部３１は、前後に延びる第１の直線部３１ａと、該第１の直線部３１ａの後端に連続し内方へ行くに従って前方へ近付くようにされた第２の直線部３１ｂとから成る。トラッキング用変形部３１は、第１の直線部３１ａ、３１ａの前端部がそれぞれフォーカシング用変形部３０、３０の外側部３０ｂ、３０ｂの前後方向における中央部に連続し、第１の直線部３１ａ、３１ａはフォーカシング用変形部３０、３０と平行とされている。
【００４１】
被支持部３２は、略左右に延びる基部３２ａと、該基部３２ａの左右両端部からそれぞれ前方へ突出された挟持部３２ｂ、３２ｂとから成り、該挟持部３２ｂ、３２ｂの前端部がそれぞれトラッキング用変形部３１、３１の第２の直線部３１ｂ、３１ｂの内側の端部に連続されている。挟持部３２ｂ、３２ｂ間の間隔は、固定体１０の支持ピン１７の外径より僅かに小さくされている。
【００４２】
中立用板バネ２８は被固定部２９の取付孔２９ａに可動本体２２の挿入軸部２３ｂが挿入され、位置決め孔２９ｂ、２９ｂにそれぞれ位置決めピン２３ｃ、２３ｃが挿入され、被固定部２８が、例えば、接着により可動体１１に固定される。
【００４３】
中立用板バネ２８は被支持部３２が固定体１０の支持ピン１７に支持される。被支持部３２は挟持部３２ｂ、３２ｂ間の間隔が支持ピン１７の外径より僅かに小さくされているため、挟持部３２ｂ、３２ｂが支持ピン１７の周面に密着され、支持ピン１７に対して前後方向（図５に示すＳ―Ｓ方向）及び軸回り方向（図５に示すＲ―Ｒ方向）に摺動可能とされる。
【００４４】
上記のように中立用板バネ２８は被固定部２９が可動体１１に固定され被支持部３２が固定体１０に摺動自在に支持される。従って、可動体１１は固定体１０に中立用板バネ２８を介して支持され、上記したフォーカシング方向及びトラッキング方向へ移動可能とされる。可動体１１は、フォーカシング方向に動作される前の状態においてはフォーカシング方向における中立位置に中立用板バネ２８によって保持され（図４及び図６参照）、トラッキング方向に動作される前の状態においてはトラッキング方向における中立位置に中立用板バネ２８によって保持される（図５参照）。
【００４５】
固定体１０にはカバー体３３が取り付けられる。カバー体３３は天板部３４と該天板部３４の左右両端縁に連続した側板部３５、３５と該側板部３５、３５の後端縁から互いに近付く方向へ突出された規制部３６、３６とが、例えば、板状の弾性を有する樹脂材料によって形成されている。
【００４６】
天板部３４には軸挿入孔３４ａが形成されている。
【００４７】
側板部３５、３５にはそれぞれ前後に離間して係合片３５ａ、３５ａ、・・・が形成され、該係合片３５ａ、３５ａ、・・・は切り起こされて形成され、それぞれ上縁が下縁より内側に位置するように傾斜されている。
【００４８】
カバー体３３は、側板部３５、３５の係合片３５ａ、３５ａ、・・・がそれぞれ本体部１４の係合凹部１４ｃ、１４ｃ、・・・に係合されて固定体１０に取り付けられる。
【００４９】
カバー体３３の固定体１０への取付は、カバー体３３を固定体１０の上方から下方へ移動させることにより行う。カバー体３３を下方へ移動させると、内側へ傾斜されている係合片３５ａ、３５ａ、・・・が本体部１４の側面と摺接して略垂直となるように弾性変形され、係合凹部１４ｃ、１４ｃ、・・・に対応して位置されたところで係合片３５ａ、３５ａ、・・・が弾性復帰してそれぞれ係合凹部１４ｃ、１４ｃ、・・・の上側開口縁に係合される。このようにカバー体３３の固定体１０への取付は、カバー体３３を固定体１０の上方から下方へ移動させることにより行うことができ、取付が容易であり対物レンズ駆動装置９の組立工程における作業性の向上を図ることができる。
【００５０】
カバー体３３が固定体１０に取り付けられた状態においては、規制部３６、３６の先端部がそれぞれ固定体１０の支持ピン１７の支持溝１７ａに挿入されて支持される。規制部３６、３６が支持溝１７ａに挿入されることにより、規制部３６、３６によって支持ピン１７に支持された中立用板バネ２８の挟持部３２ｂ、３２ｂが上方から押さえられ、中立用板バネ２８の被支持部３２の支持ピン１７からの抜けが防止される。
【００５１】
カバー体３３が固定体１０に取り付けられた状態においては、天板部３４の軸挿入孔３４ａに可動体１１の被支持孔２２ａを貫通された支持軸部１３の上端部が嵌合される。
【００５２】
以下に、ディスクドライブ装置１の動作について説明する。
【００５３】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた発光素子からレーザー光が出射され対物レンズ２６を介してディスク状記録媒体１００の記録面に照射される。
【００５４】
ディスク状記録媒体１００の記録面に照射されたレーザー光は当該記録面で反射され、移動ベース８に設けられた受光素子に入射され、光電変換されて情報信号の記録又は再生が行われる。
【００５５】
情報信号の記録又は再生が行われるときには、対物レンズ駆動装置９によってフォーカシングサーボ及びトラッキングサーボが行われる。
【００５６】
フォーカシングサーボ時には、図示しない電流供給部からフォーカシングコイル２０に駆動電流Ｐｆが供給される。
【００５７】
例えば、駆動電流Ｐｆがフォーカシングコイル２０に図７及び図８に示す矢印方向へ流れるように供給されると、マグネット２７によって発生する磁束Ｑｆ、Ｑｆ、・・・との関係により固定体１０に配置されたフォーカシングコイル２０に下向きの駆動力が発生する。従って、可動体１１にはフォーカシングコイル２０に発生する駆動力の反力として上向きの駆動力が発生し、可動体１１が中立位置を基準として上方へ移動される。
【００５８】
逆に、駆動電流Ｐｆがフォーカシングコイル２０に図７及び図８に示す矢印方向と反対方向へ流れるように供給されると、マグネット２７によって発生する磁束Ｑｆ、Ｑｆ、・・・との関係により固定体１０に配置されたフォーカシングコイル２０に上向きの駆動力が発生する。従って、可動体１１にはフォーカシングコイル２０に発生する駆動力の反力として下向きの駆動力が発生し、可動体１１が中立位置を基準として下方へ移動される。
【００５９】
可動体１１は、対物レンズ２６を介して照射されるレーザー光のスポットがディスク状記録媒体１００の記録トラックに集光するように、上記したようにフォーカシングコイル２０に流れる駆動電流Ｐｆの向きに応じてフォーカシング方向へ移動される。
【００６０】
可動体１１がフォーカシング方向へ動作されたときには、中立用板バネ２８のフォーカシング用変形部３０、３０の外側部３０ｂ、３０ｂが内側部３０ａ、３０ａに対して上下に移動するように弾性変形される（図９参照）。
【００６１】
フォーカシングコイル２０への駆動電流の供給が停止されると、中立用板バネ２８が弾性復帰されてフォーカシング方向へ動作されていた可動体１１が中立位置に保持される（図４参照）。
【００６２】
一方、トラッキングサーボ時には、図示しない電流供給部からトラッキングコイル２１、２１に駆動電流Ｐｔが供給される。
【００６３】
例えば、駆動電流Ｐｔがトラッキングコイル２１、２１に図７及び図８に示す矢印方向へ流れるように供給されると、マグネット２７によって発生する磁束Ｑｆ、Ｑｆ、・・・との関係により固定体１０に配置されたトラッキングコイル２１、２１の内側垂直部２１ａ、２１ａに右向きの駆動力が発生する。従って、可動体１１にはトラッキングコイル２１、２１に発生する駆動力の反力として左向きの駆動力が発生し、可動体１１が中立位置を基準として略左方へ移動する方向へ回動される。
【００６４】
逆に、駆動電流Ｐｔがトラッキングコイル２１、２１に図７及び図８に示す矢印方向と反対方向へ流れるように供給されると、マグネット２７によって発生する磁束Ｑｆ、Ｑｆ、・・・との関係により固定体１０に配置されたトラッキングコイル２１、２１の内側垂直部２１ａ、２１ａに左向きの駆動力が発生する。従って、可動体１１にはトラッキングコイル２１、２１に発生する駆動力の反力として右向きの駆動力が発生し、可動体１１が中立位置を基準として略右方へ移動する方向へ回動される。
【００６５】
可動体１１は、対物レンズ２６を介して照射されるレーザー光のスポットがディスク状記録媒体１００の記録トラックに集光するように、上記したようにトラッキングコイル２１、２１に流れる駆動電流Ｐｔの向きに応じてトラッキング方向へ移動される。
【００６６】
可動体１１がトラッキング方向へ動作されたときには、中立用板バネ２８のトラッキング用変形部３１、３１が弾性変形される（図１０参照）。このとき中立用板バネ２８の被支持部３２にはトラッキング用変形部３１、３１の変形に伴って変位しようとする力が作用されるが、上記のように、被支持部３２は支持ピン１７に対して図５に示すＳ―Ｓ方向及びＲ―Ｒ方向に摺動可能とされているため、これらの各方向へ変位される。従って、中立用板バネ２８を介して可動体１１に不必要な力が付与されず、可動体１１の動作の信頼性を確保することができる。
【００６７】
尚、上記には、可動体１１に中立用板バネ２８の一部が固定されると共に固定体１０に中立用板バネ２８の一部が移動自在に支持される例を示したが、逆に、可動体１１に中立用板バネ２８の一部が移動自在に支持されると共に固定体１０に中立用板バネ２８の一部が固定されるようにしてもよい。
【００６８】
トラッキングコイル２１、２１への駆動電流の供給が停止されると、中立用板バネ２８が弾性復帰されてトラッキング方向へ動作されていた可動体１１が中立位置に保持される（図５参照）。
【００６９】
尚、振動等によって可動体１１がフォーカシング方向又はトラッキング方向に大きく移動される可能性があるが、可動体１１のフォーカシング方向における不必要な移動は固定体１０のベース部１２の底面部１４ｂ及びカバー体３３の天板部３４によって防止され、可動体１１のトラッキング方向における不必要な移動は固定体１０の規制突部１５、１５によって防止される。
【００７０】
以上に記載した通り、ディスクドライブ装置１にあっては、対物レンズ駆動装置９に１つの円環状のマグネット２７を設け中心軸を支持軸部１３の中心軸に略一致するようにマグネット２７を配置しているため、対物レンズ駆動装置９の組立工程においてマグネットの取付が１回で済み、組立工程における作業性の向上を図ることができる。
【００７１】
また、マグネット２７が１つであるため、フォーカシングコイルやトラッキングコイルの数もマグネットの数に応じて減じることができ、部品点数の削減による対物レンズ駆動装置９の小型化及び組立工程における一層の作業性の向上を図ることができる。
【００７２】
さらに、マグネット２７が円環状に形成され、これに対応してフォーカシングコイル２０に円弧部２０ａが設けられているため、可動体１１が動作されたときにマグネット２７と円弧部２０ａとの間隔が変化することがなくフォーカシングコイル２０に発生する駆動力の変化が生じ難ことから、可動体１１のスキュー変動や感度の変化を低減することができる。
【００７３】
さらにまた、対物レンズ駆動装置９に設けられた中立用板バネ２８は同一の材料によって各部が一体に形成されているため、部品点数の低減を図ることができると共に中立用板バネ２８の形成が容易であり製造コストの削減を図ることができる。
【００７４】
加えて、対物レンズ駆動装置９にあっては、板状の材料によって形成された中立用板バネ２８を用いているため、対物レンズ駆動装置９の薄型化を図ることができる。
【００７５】
次に、コイル体の変形例について説明する（図１１及び図１２参照）。尚、以下に示す変形例に係るコイル体１９Ａ、１９Ｂは、上記したコイル体１９と比較して、フォーカシングコイルに対するトラッキングコイルの位置が異なることのみが相違するため、コイル体１９と比較して異なる部分についてのみ詳細に説明をし、その他の部分についてはコイル体１９における同様の部分に付した符号と同じ符号を付して説明は省略する。
【００７６】
コイル体１９Ａはトラッキングコイル２１、２１がフォーカシングコイル２０の縦部２０ｃ、２０ｃにそれぞれ巻回されるようにして配置されている（図１１参照）。従って、トラッキングコイル２１、２１はそれぞれ内側垂直部２１ａ、２１ａが縦部２０ｃ、２０ｃの内側に位置され、内側垂直部２１ａ、２１ａに発生する駆動力と逆方向の駆動力を発生する外側垂直部２１ｂ、２１ｂが縦部２０ｃ、２０ｃの外側に位置されている。
【００７７】
コイル体１９Ｂはトラッキングコイル２１、２１がフォーカシングコイル２０の横部２０ｄに巻回されるようにして左右に並んで配置されている（図１２参照）。従って、トラッキングコイル２１、２１はそれぞれ内側垂直部２１ａ、２１ａが横部２０ｄの内側に位置され、内側垂直部２１ａ、２１ａに発生する駆動力と逆方向の駆動力を発生する外側垂直部２１ｂ、２１ｂが横部２０ｄの外側に位置されている。
【００７８】
このようにコイル体１９Ａ、１９Ｂにあっては、可動体１１の駆動に必要とされる駆動力とは逆方向の駆動力を発生する外側垂直部２１ｂ、２１ｂが、フォーカシングコイル２０の外側に位置されているため、可動体１１の効率的な駆動を行うことができる。
【００７９】
尚、上記には、可動体１１にマグネット２７を取り付け固定体１０にコイル体１９を取り付けた例を示したが、逆に、固定体１０にマグネット２７を取り付け可動体１１にコイル体１９を取り付けてもよい。
【００８０】
また、上記には、カバー体３３を樹脂材料によって形成した例を示したが、これに代えてカバー体３３を金属等の磁性材料によって形成することもできる。カバー体３３を磁性材料によって形成した場合には、マグネット２７によって発生する磁束の外部への漏れを防止することができる。
【００８１】
さらに、上記には、固定体１０を樹脂材料によって形成しヨーク１８を設けた例を示したが、これに代えて固定体１０を金属等の磁性材料によって形成することもできる。固定体１０を磁性材料によって形成した場合には、固定体１０をヨークとして機能させることができるため、別部材としてのヨーク１８が不要となり部品点数を削減することができる。但し、固定体１０のベース部１２の底面部１４ｂはマグネット２７の吸着を回避するために、非磁性材料によって形成することが望ましい。
【００８２】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８３】
【発明の効果】
以上に記載したところから明らかなように、本発明光ピックアップは、ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを備えた光ピックアップであって、上記対物レンズ駆動装置は、上記移動ベースに取り付けられるベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、上記可動体又は固定体の一方に設けられたマグネットと、上記可動体又は固定体の他方に設けられると共にフォーカシングコイルとトラッキングコイルとから成るコイル体と、可動体がフォーカシング方向へ動作されたときに弾性変形され弾性復帰により可動体をフォーカシング方向における中立位置に保持するフォーカシング用変形部と可動体がトラッキング方向へ動作されたときに弾性変形され弾性復帰により可動体をトラッキング方向における中立位置に保持するトラッキング用変形部とを有すると共にフォーカシング用変形部とトラッキング用変形部とが一体に形成された中立用板バネとを備えたことを特徴とする。
【００８４】
従って、１つの中立用板バネによって可動体がフォーカシング方向及びトラッキング方向における中立位置に保持されるため、部品点数の低減及び製造コストの削減を図りつつ対物レンズ駆動装置の動作の信頼性を確保することができる。
【００８５】
また、板状の材料によって形成された中立用板バネを用いているため、対物レンズ駆動装置の薄型化を図ることができる。
【００８６】
請求項２に記載した発明にあっては、上記中立用板バネに可動体又は固定体の一方に固定される被固定部と可動体又は固定体の他方に移動自在に支持される被支持部とを設けたので、可動体が動作されたときに、中立用板バネを介して可動体に不必要な力が付与されず、可動体の動作の信頼性を確保することができる。
【００８７】
本発明ディスクドライブ装置は、ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを有する光ピックアップを備えたディスクドライブ装置であって、上記対物レンズ駆動装置は、上記移動ベースに取り付けられるベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、上記可動体又は固定体の一方に設けられたマグネットと、上記可動体又は固定体の他方に設けられると共にフォーカシングコイルとトラッキングコイルとから成るコイル体と、可動体がフォーカシング方向へ動作されたときに弾性変形され弾性復帰により可動体をフォーカシング方向における中立位置に保持するフォーカシング用変形部と可動体がトラッキング方向へ動作されたときに弾性変形され弾性復帰により可動体をトラッキング方向における中立位置に保持するトラッキング用変形部とを有すると共にフォーカシング用変形部とトラッキング用変形部とが一体に形成された中立用板バネとを備えたことを特徴とする。
【００８８】
従って、１つの中立用板バネによって可動体がフォーカシング方向及びトラッキング方向における中立位置に保持されるため、部品点数の低減及び製造コストの削減を図りつつ対物レンズ駆動装置の動作の信頼性を確保することができる。
【００８９】
請求項４に記載した発明にあっては、上記中立用板バネに可動体又は固定体の一方に固定される被固定部と可動体又は固定体の他方に移動自在に支持される被支持部とを設けたので、可動体が動作されたときに、中立用板バネを介して可動体に不必要な力が付与されず、可動体の動作の信頼性を確保することができる。
【図面の簡単な説明】
【図１】図２乃至図１２と共に本発明の実施の形態を示すものであり、本図はディスクドライブ装置の概略斜視図である。
【図２】対物レンズ駆動装置の分解斜視図である。
【図３】対物レンズ駆動装置の拡大斜視図である。
【図４】一部を切り欠きカバー体を取り外して示す対物レンズ駆動装置の拡大側面図である。
【図５】カバー体を取り外して示す対物レンズ駆動装置の拡大平面図である。
【図６】対物レンズ駆動装置の拡大断面図である。
【図７】コイル体に流れる電流とマグネットによって発生する磁束との関係を示す拡大斜視図である。
【図８】コイル体に流れる電流とマグネットによって発生する磁束との関係を示す拡大平面図である。
【図９】可動体がフォーカシング方向へ動作されたときの状態を一部を切り欠いて示す拡大側面図である。
【図１０】可動体がトラッキング方向へ動作されたときの状態を示す拡大平面図である。
【図１１】コイル体の変形例を示す拡大斜視図である。
【図１２】コイル体の別の変形例を示す拡大斜視図である。
【符号の説明】
１…ディスクドライブ装置、４…ディスクテーブル、７…光ピックアップ、８…移動ベース、９…対物レンズ駆動装置、１０…固定体、１１…可動体、１２…ベース部、１３…支持軸部、１９…コイル体、２０…フォーカシングコイル、２１…トラッキングコイル、２６…対物レンズ、２７…マグネット、２９…被固定部、３０…フォーカシング用変形部、３１…トラッキング用変形部、３２…被支持部、１００…ディスク状記録媒体、１９Ａ…コイル体、１９Ｂ…コイル体
【図１】
2004139643.tif 000003
【図２】
2004139643.tif 000004
【図３】
2004139643.tif 000005
【図４】
2004139643.tif 000006
【図５】
2004139643.tif 000007
【図６】
2004139643.tif 000008
【図７】
2004139643.tif 000009
【図８】
2004139643.tif 000010
【図９】
2004139643.tif 000011
【図１０】
2004139643.tif 000012
【図１１】
2004139643.tif 000013
【図１２】
2004139643.tif 000014